(57)【要約】【課題】種々の演出内容について拡張した演出を行うことができる演出出力玩具を提供する。【解決手段】物品５０は装着手段３０に着脱可能に装着されるので、物品５０を容易に交換することができる。このため、取得手段４０により取得される物品情報を容易に交換することができるので、演出出力手段７３によって出力される演出内容を変えることができ、種々の演出内容について拡張した演出を行うことができる。また、物品５０が装着手段３０に装着されない非装着状態においては、演出出力手段７３が物品５０の装着を促すような非装着演出を出力するので、その後の演出を円滑に楽しむことができる。【選択図】図１
2017217282.tif 000002
【特許請求の範囲】
【請求項１】
演出が出力される演出出力玩具であって、
本体部と、
前記本体部に形成され、物品が着脱可能に装着される装着手段と、
前記装着手段に装着された前記物品の物品情報を取得する取得手段と、
前記物品情報に応じた演出を出力する演出出力手段と、を有し、
前記物品が前記装着手段に装着された装着状態において、前記演出出力手段が装着演出を出力し、
前記物品が前記装着手段に装着されない非装着状態において、前記演出出力手段が非装着演出を出力する演出出力玩具。
【請求項２】
請求項１記載の演出出力玩具であって、
前記演出出力手段が前記装着演出の出力を完了する前に、前記物品が前記装着手段から取り外されたときに、前記演出出力手段が前記装着演出を停止する演出出力玩具。
【請求項３】
請求項１または請求項２に記載の演出出力玩具であって、
前記装着手段は、第１の物品情報を備える第１の物品と、前記第１の物品情報とは異なる第２の物品情報を備える第２の物品とが選択的に装着可能である演出出力玩具。
【請求項４】
請求項３記載の演出出力玩具であって、
前記演出出力手段は、前記装着演出として前記第１の物品情報及び前記第２の物品情報に対応した第１の装着演出及び第２の装着演出を出力する演出出力玩具。
【請求項５】
請求項３記載の演出出力玩具であって、
前記演出出力手段は、前記取得手段が所定時間内に連続して前記第１の物品情報及び前記第２の物品情報を順次取得したときに、前記第１の物品情報及び前記第２の物品情報の組み合わせに応じて、前記第１の装着演出及び前記第２の装着演出とは異なる演出を前記演出出力手段が出力する演出出力玩具。
【請求項６】
請求項５記載の演出出力玩具であって、
前記演出出力手段は、前記取得手段が前記第１の物品情報を取得した後に前記第２の物品情報の取得したときに前記第１の装着演出及び前記第２の装着演出とは異なる第３の装着演出を出力し、前記取得手段が前記第２の物品情報を取得した後に前記第１の物品情報の取得したときに前記第１の装着演出、前記第２の装着演出及び前記第３の装着演出とは異なる第４の装着演出を出力する演出出力玩具。
【請求項７】
請求項１ないし請求項６のうちのいずれか１項に記載の演出出力玩具であって、
前記取得手段が取得した前記物品情報を装着済情報として登録する登録手段を有し、
前記登録手段に前記装着済情報が登録されているとき、かつ、前記非装着状態であるとき、前記装着済情報に応じた演出を前記非装着演出として前記演出出力手段が出力する演出出力玩具。
【請求項８】
請求項７記載の演出出力玩具であって、
前記非装着演出は、前記装着済情報に応じた物品を前記装着手段に装着することを促す演出である演出出力玩具。
【請求項９】
請求項１ないし請求項８のうちのいずれか１項に記載の演出出力玩具であって、
前記演出出力手段は、前記演出として音声を出力する演出出力玩具。
【請求項１０】
請求項９記載の演出出力玩具であって、
前記演出出力手段は、
前記物品が前記装着手段に装着されたときに、装着されたことを報知する音声を出力し、
前記物品が前記装着手段から取り外されたときに、取り外されたことを報知する音声を出力する演出出力玩具。
【請求項１１】
請求項１記載の演出出力玩具であって、
前記装着手段は、
前記物品が軸回転不可能に挿入可能、かつ、前記物品の挿入状態を保持可能な保持孔と、
前記保持孔の底面に設けられ、前記物品の先端面に設けられた第１係合部と係合する第１被係合部とを備える演出出力玩具。
【請求項１２】
請求項１１記載の演出出力玩具であって、
前記物品は、
外円筒部材と、
前記外円筒部材に内蔵された内円柱部材と、
前記内円柱部材に連結され、前記外円筒部材に対して前記内円柱部材とともに軸回転可能な頭部と、
前記内円柱部材における前記頭部とは反対側から露出する先端面に設けられた前記第１係合部と、
前記外円筒部材の外周面に設けられた第２係合部と、を有し、
前記装着手段は、
前記保持孔が前記物品の前記外円筒部材を収容可能な略円筒内面形状であるとともに内周面に形成されて前記第２係合部と係合する第２被係合部と、
前記保持孔の前記底面の中心に配置され、前記物品の前記第１係合部と係合可能であるとともに、回動可能な前記第１被係合部と、
前記第１被係合部を付勢する付勢手段と、を有し、
前記第２係合部及び前記第２被係合部が互いに係合した状態で前記物品が前記保持孔に挿入され、前記第１係合部に対して前記第１被係合部が係合した状態で前記外円筒部材に対して前記内円柱部材及び前記頭部が一方向に回動することにより、前記第１被係合部が回動するとともに、前記保持孔から前記物品が取り外し不可能となる演出出力玩具。
【請求項１３】
請求項１２記載の演出出力玩具であって、
前記第１被係合部は、第１の位置と第２の位置の間で回動可能で、前記付勢手段により前記第２の位置から前記第１の位置に付勢され、
前記第１被係合部は突出部を有し、前記第１位置における前記底面に対する突出寸法よりも前記第２位置における前記底面に対する突出寸法が小さい演出出力玩具。
【請求項１４】
請求項１３記載の演出出力玩具であって、
前記第１被係合部が前記第２位置にあるときに前記取得手段が前記物品情報を取得する演出出力玩具。
【請求項１５】
請求項１３または請求項１４に記載の演出出力玩具であって、
前記第１被係合部及び前記第１係合部が係合した状態で前記第２位置にあるとき、前記物品の前記先端面が前記底面に対して他方向に回動することにより、前記保持孔から前記物品が取り外し可能となる演出出力玩具。
【請求項１６】
請求項１２ないし請求項１５のうちのいずれか１項に記載の演出出力玩具であって、
前記物品は、前記物品情報に応じた情報ピンが前記外円筒部材の端面に形成されている演出出力玩具。
【請求項１７】
請求項１ないし請求項１６のうちのいずれか１項に記載の演出出力玩具であって、
前記装着手段とは別の箇所に設けられたホルダ部を有し、
前記ホルダ部は、前記物品が挿入可能、かつ、前記物品の挿入状態を保持可能であるとともに、前記物品の前記物品情報を取得不可能である演出出力玩具。
【請求項１８】
請求項１ないし請求項１７のうちのいずれか１項に記載の演出出力玩具であって、
前記装着手段に前記物品が装着された状態で、前記物品が全体外観の一部を構成する演出出力玩具。
【請求項１９】
請求項１ないし請求項１８のうちのいずれか１項記載の演出出力玩具であって、
前記装着手段に特定の物品が装着されたときに初期化される演出出力玩具。
【発明の詳細な説明】
【技術分野】
【０００１】
本発明は、演出出力玩具に関する。
【背景技術】
【０００２】
従来、音を発したり、光を発したりする演出を出力する演出出力玩具が知られている（例えば特許文献１参照）。
特許文献１に記載された演出出力玩具では、主玩具体であるバックルと、副玩具体である指輪を有する。バックル及び指輪は、それぞれ、使用者の身体に装着可能または把持可能となっており、かつ、互いに接近、離間可能となっている。そして、装着した使用者の動作に応じてバックルと指輪とが接近すると、バックルが第１の演出を出力する。一方、第１の演出の出力中に使用者の動作によって、バックルと指輪とが離間したときは、バックルが第２の演出を出力する。
【先行技術文献】
【特許文献】
【０００３】
【特許文献１】特開２０１４−００４２６３号公報
【発明の概要】
【発明が解決しようとする課題】
【０００４】
ところで、近年では、玩具による演出内容も多岐に渡りつつあり、演出内容に応じて玩具を替えるのではなく、１台の玩具で種々の演出を出力することができる拡張性を有する演出出力玩具が求められている。
【０００５】
本発明は、上述した事情に鑑みなされたものであり、種々の演出内容について拡張した演出を行うことができる演出出力玩具を提供することを目的とする。
【課題を解決するための手段】
【０００６】
本発明に係る演出出力玩具は、演出が出力される演出出力玩具であって、本体部と、前記本体部に形成され、物品が着脱可能に装着される装着手段と、前記装着手段に装着された前記物品の物品情報を取得する取得手段と、前記物品情報に応じた演出を出力する演出出力手段と、を有し、前記物品が前記装着手段に装着された装着状態において、前記演出出力手段が装着演出を出力し、前記物品が前記装着手段に装着されない非装着状態において、前記演出出力手段が非装着演出を出力することを特徴とする。
【０００７】
また、本発明に係る演出出力玩具においては、前記演出出力手段が前記装着演出の出力を完了する前に、前記物品が前記装着手段から取り外されたときに、前記演出出力手段が前記装着演出を停止してもよい。
【０００８】
また、本発明に係る演出出力玩具においては、前記装着手段は、第１の物品情報を備える第１の物品と、前記第１の物品情報とは異なる第２の物品情報を備える第２の物品とが選択的に装着可能であってもよい。
【０００９】
また、本発明に係る演出出力玩具においては、前記演出出力手段は、前記装着演出として前記第１の物品情報及び前記第２の物品情報に対応した第１の装着演出及び第２の装着演出を出力してもよい。
【００１０】
また、本発明に係る演出出力玩具においては、前記演出出力手段は、前記取得手段が所定時間内に連続して前記第１の物品情報及び前記第２の物品情報を順次取得したときに、前記第１の物品情報及び前記第２の物品情報の組み合わせに応じて、前記第１の装着演出及び前記第２の装着演出とは異なる演出を前記演出出力手段が出力してもよい。
【００１１】
また、本発明に係る演出出力玩具においては、前記演出出力手段は、前記取得手段が前記第１の物品情報を取得した後に前記第２の物品情報の取得したときに前記第１の装着演出及び前記第２の装着演出とは異なる第３の装着演出を出力し、前記取得手段が前記第２の物品情報を取得した後に前記第１の物品情報の取得したときに前記第１の装着演出、前記第２の装着演出及び前記第３の装着演出とは異なる第４の装着演出を出力してもよい。
【００１２】
また、本発明に係る演出出力玩具においては、前記取得手段が取得した前記物品情報を装着済情報として登録する登録手段を有し、前記登録手段に前記装着済情報が登録されているとき、かつ、前記非装着状態であるとき、前記装着済情報に応じた演出を前記非装着演出として前記演出出力手段が出力してもよい。
【００１３】
また、本発明に係る演出出力玩具においては、前記非装着演出は、前記装着済情報に応じた物品を前記装着手段に装着することを促す演出であってもよい。
【００１４】
また、本発明に係る演出出力玩具においては、前記演出出力手段は、前記演出として音声を出力してもよい。
【００１５】
また、本発明に係る演出出力玩具においては、前記演出出力手段は、前記物品が前記装着手段に装着されたときに装着されたことを報知する音声を出力し、前記物品が前記装着手段から取り外されたときに取り外されたことを報知する音声を出力してもよい。
【００１６】
また、本発明に係る演出出力玩具においては、前記装着手段は、前記物品が軸回転不可能に挿入可能、かつ、前記物品の挿入状態を保持可能な保持孔と、前記保持孔の底面に設けられ、前記物品の先端面に設けられた第１係合部と係合する第１被係合部とを備えてもよい。
【００１７】
また、本発明に係る演出出力玩具においては、前記物品は、外円筒部材と、前記外円筒部材に内蔵された内円柱部材と、前記内円柱部材に連結され、前記外円筒部材に対して前記内円柱部材とともに軸回転可能な頭部と、前記内円柱部材における前記頭部とは反対側から露出する先端面に設けられた第１係合部と、前記外円筒部材の外周面に設けられた第２係合部と、を有し、前記装着手段は、前記保持孔が前記物品の前記外円筒部材を収容可能な略円筒内面形状であるとともに内周面に形成されて前記第２係合部に係合する第２被係合部と、前記保持孔の前記底面の中心に配置され、前記物品の前記第１係合部と係合可能であるとともに、回動可能な前記第１被係合部と、前記第１被係合部を付勢する付勢手段とを有し、前記第２係合部及び前記第２被係合部が互いに係合した状態で前記物品が前記保持孔に挿入され、前記第１係合部に対して前記第１被係合部が係合した状態で前記外円筒部材に対して前記内円柱部材及び前記頭部が一方向に回動することにより、前記第１被係合部が回動するとともに、前記保持孔から前記物品が取り外し不可能となってもよい。
【００１８】
また、本発明に係る演出出力玩具においては、前記第１被係合部は、第１の位置と第２の位置の間で回動可能で、前記付勢手段により前記第２の位置から前記第１の位置に付勢され、前記第１被係合部は突出部を有し、前記第１位置における前記底面に対する突出寸法よりも前記第２位置における前記底面に対する突出寸法が小さくてもよい。
【００１９】
また、本発明に係る演出出力玩具においては、前記第１被係合部が前記第２位置にあるときに前記取得手段が前記物品情報を取得してもよい。
【００２０】
また、本発明に係る演出出力玩具においては、前記第１被係合部及び前記第１係合部が係合した状態で前記第２位置にあるとき、前記物品の前記先端面が前記底面に対して他方向に回動することにより、前記保持孔から前記物品が取り外し可能となってもよい。
【００２１】
また、本発明に係る演出出力玩具においては、前記物品は、前記物品情報に応じた情報ピンが前記外円筒部材の端面に形成されていてもよい。
【００２２】
また、本発明に係る演出出力玩具においては、前記装着手段とは別の箇所に設けられたホルダ部を有し、前記ホルダ部は、前記物品が挿入可能、かつ、前記物品の挿入状態を保持可能であるとともに、前記物品の前記物品情報を取得不可能であってもよい。
【００２３】
また、本発明に係る演出出力玩具においては、前記装着手段に前記物品が装着された状態で、前記物品が全体外観の一部を構成してもよい。
【００２４】
また、本発明に係る演出出力玩具においては、前記装着手段に特定の物品が装着されたときに初期化されてもよい。
【発明の効果】
【００２５】
本発明によれば、種々の演出内容について拡張した演出を行うことができる演出出力玩具を提供することができる。
【図面の簡単な説明】
【００２６】
【図１】本発明の実施形態である演出出力玩具の全体構成を示す斜視図である。
【図２】本発明の実施形態である演出出力玩具の頭部に収容される装着手段及び取得手段を示す断面図である。
【図３】装着手段及び取得手段を上方から見た分解斜視図である。
【図４】装着手段及び取得手段を下方から見た分解斜視図である。
【図５】装着手段及び取得手段を上方から見た斜視図である。
【図６】ねじが有する情報の説明図である。
【図７】（Ａ）はスイッチ用ガイド部材が第１位置にあるときの装着手段の下面の底面図であり、（Ｂ）はスイッチ用ガイド部材が第２位置にあってスイッチをオンとするときの装着手段の下面の底面図である。
【図８】（Ａ）はねじを上方から見た斜視図であり、（Ｂ）は下方から見た斜視図である。
【図９】ねじを上方から見た分解斜視図である。
【図１０】本発明の実施形態である演出出力玩具の構成を示すブロック図である。
【図１１】本発明の実施形態である演出出力玩具による第１の演出動作を示すフローチャートである。
【図１２】本発明の実施形態である演出出力玩具による第２の演出動作を示すフローチャートである。
【発明を実施するための形態】
【００２７】
［本発明の実施の形態］
図１は、本発明の実施形態を説明するための、演出出力玩具の全体構成を示す斜視図である。
なお、以後の説明においては、演出出力玩具１０を立たせた状態において上側を「上」とし、下側を「下」と表示する。また、演出出力玩具１０が向いている方向を「前」とし、背中側を「後」と表示する。さらに、演出出力玩具１０から見て左側を「左」、右側を「右」と表示する。
【００２８】
図１に示す演出出力玩具１０は、音声、振動、表示等の演出を出力するものであり、例えばロボットのような形状をした本体部２０と、本体部２０に着脱可能なねじを模した物品５０（以下、本発明の実施の形態中では「ねじ５０」と記載）を有する。ねじ５０は、第１の物品情報として、演出出力玩具１０が出力する演出内容に対応する情報を有している。
【００２９】
本体部２０は、頭部２１が一体となった胴体部２２を有しており、胴体部２２の左右側面から横方向に腕部２３が設けられている。また、胴体部２２の下側には脚部２４が設けられており、本体部２０を立った状態に保持可能となっている。本体部２０前面には、顔部２５が設けられており、演出出力玩具１０の性質に応じて、例えば、愛嬌のある顔が表示されている。
【００３０】
図１及び図２に示すように、本体部２０（ここでは、例えば頭部２１）には、ねじ５０が着脱可能に装着される装着手段３０が設けられており、装着された状態でねじ５０から物品情報を取得する取得手段４０が設けられている。ねじ５０を装着した状態では、物品情報として第１の物品情報が取得される。演出出力玩具１０は、装着手段３０にねじ５０が装着された状態で外観が完成しており、ねじ５０が全体外観の一部を構成している。
【００３１】
装着手段３０とは別の箇所である胴体部２２の前面にはホルダ部２２１が設けられており、ねじ５０とは異なる第２の物品情報を有する第２のねじ（第２の物品）６０が、着脱可能に挿入可能、かつ、挿入状態を保持可能となっている。
なお、ホルダ部２２１においては、第２のねじ６０が保持されているだけで、第２のねじ６０の第２の物品情報の取得は行われない。
【００３２】
第２のねじ６０は、ねじ５０の装着部（後述する外円筒部材５１）と同様の装着部（図示省略）を有しており、第２のねじ６０も装着手段３０に着脱可能に装着される。すなわち、ねじ５０と第２のねじ６０とは、装着手段３０に対して選択的に装着可能となっている。そして、第２のねじ６０が装着された場合には、物品情報として第２の物品情報が取得される。
すなわち、複数種類のねじ５０について選択的に装着可能であり、ねじ５０を多くの種類用意することにより、演出出力玩具１０の使用における拡張性が高まる。
【００３３】
図２に示すように、装着手段３０は、頭部２１の頂面に上本体部３１が埋め込まれている。図３及び図４にも示すように、上本体部３１は、ねじ５０を挿入して保持するための略円筒形状の保持孔３１１を有する。保持孔３１１は上面に開口し、保持孔３１１の内面３１２には、係合突条（第２被係合部）３１３が、略円筒形状の保持孔３１１の母線に沿ってねじ５０の挿入方向に設けられている。
なお、係合突条（第２被係合部）３１３は、例えば断面四角形状を呈しているが、これに限らない。また、係合突条（第２被係合部）３１３を保持孔３１１の底面３１４（図２参照）付近まで連続して設けているが、少なくとも保持孔３１１の上端部に設けていればよい。
【００３４】
上本体部３１の下端部には、ロック用スプリング３２によって保持孔３１１の中心側へ付勢されているロック部材３３が、保持孔３１１を挟んで対抗する位置に一対設けられている。
なお、ロック部材３３は、保持孔３１１の内面３１２を周方向に均等に分割する位置に３個以上設けることも可能である。ロック部材３３の先端部３３１は、上下に傾斜面３３２を有して尖っており、ロック用スプリング３２の付勢力によって傾斜面３３２が常時保持孔３１１の内部に突出している。ロック部材３３は、傾斜面３３２を押すことにより、ロック用スプリング３２の付勢力に抗して保持孔３１１の外側へ退避可能となっている。
【００３５】
上本体部３１の内部には、保持孔３１１の底面３１４を構成する支持部材３４が取り付けられている。ロック部材３３は、支持部材３４の上面に設けられており、ロック部材３３は、支持部材３４を介して上本体部３１に取り付けられている。支持部材３４の中心には、貫通孔３４１が設けられている。本発明の実施の形態においては、貫通孔３４１を挟んで両側に、情報ピン用孔３４２が３個ずつ設けられている（図５参照）。
【００３６】
装着手段３０の内部における支持部材３４の下側には、装着されたねじ５０から識別情報を取得する取得手段４０が設けられている。取得手段４０は、板状のベース部材４１を有しており、ベース部材４１の中心にはベース貫通孔４１１が設けられている。ベース部材４１の上面には、ベース貫通孔４１１を挟んで２列の情報スイッチ４２が設けられている（図３参照）。
ここでは、各列３個の情報スイッチ４２を有する。各情報スイッチ４２は、支持部材３４の情報ピン用孔３４２の内部に露出する情報スイッチ用突起４２１が設けられている（図３、５参照）。
【００３７】
取得手段４０の下側には、回転部材３５が設けられている。回転部材３５は、円盤状の回転部材本体３５１を有しており、回転部材本体３５１の中心には、上方に突出する軸部材（第１被係合部）３５２が設けられている。軸部材３５２の先端部は、略角柱形状に形成されている。軸部材３５２は、ベース部材４１のベース貫通孔４１１、支持部材３４の貫通孔３４１を貫通して、上本体部３１の保持孔３１１内部に突出する。回転部材本体３５１の外周面３５３には、軸部材３５２に対して対称な位置にガイド突起３５４が設けられている。回転部材本体３５１の下面中心には、下方に突出する下軸部３５５が設けられており、下面周縁部には、下方に伸びるガイド軸３５６が設けられている。
【００３８】
回転部材３５の下側には、下本体部３６が設けられている。下本体部３６は、支持部材３４、ベース部材４１、回転部材３５を内包して上本体部３１に接続される。下本体部３６は、円形の底板３６１を有し、底板３６１の外周縁には、回転部材３５を内包するように二つに分割された外周壁３６２が立設されている。外周壁３６２の内側には、テーパ面３６３が設けられている。テーパ面３６３は、ここでは、例えば底板３６１を上方から見て、時針方向に回ると下降するように傾斜している。回転部材３５のガイド突起３５４は、それぞれテーパ面３６３に支持されている。
従って、回転部材３５が時針方向に回転すると、ガイド突起３５４がテーパ面３６３に沿って下降するので、回転部材３５は下方へ移動することになる。
【００３９】
底板３６１の中心には、軸受部３６４が底板３６１の下方側に側面を延在するように設けられている。軸受部３６４は、回転部材３５の下軸部３５５を回転可能かつ上下移動可能に支持する。図７（Ａ）及び図７（Ｂ）にも示すように、底板３６１の周辺部には、軸受部３６４を中心とする部分円弧状の切欠き３６５が設けられている。底板３６１の下面には、切欠き３６５に沿って内側に内周壁３６６が設けられ、外側に外周壁３６７が設けられている。
【００４０】
回転部材３５のガイド軸３５６は、底板３６１の切欠き３６５を貫通して底板３６１の下方に突出しており、ガイド軸３５６の先端には、部分円弧状のスイッチ用ガイド部材３５７が取り付けられている。スイッチ用ガイド部材３５７は下本体部３６の内周壁３６６と外周壁３６７との間に設けられており、切欠き３６５に沿って移動可能となっている。スイッチ用ガイド部材３５７の一端部には、ガイド用スプリング（付勢手段）３７が取り付けられている。ガイド用スプリング３７の他端部は、底板３６１の下面に設けられている突起３６８に取り付けられており、常時スイッチ用ガイド部材３５７を突起３６８側に引っ張っている。突起３６８側の端部を第１位置という（図７（Ａ）参照）。
【００４１】
下本体部３６の底板３６１の下面には、スイッチ用ガイド部材３５７を検出するスイッチ３８が取り付けられている。スイッチ３８は、底板３６１の切欠き３６５における突起３６８から遠い側の端部（第２位置）の外側に設けられている。従って、スイッチ用ガイド部材３５７に外力が作用しないときは、スイッチ用ガイド部材３５７は、ガイド用スプリング３７によってスイッチ３８から遠い側である第１位置に引っ張られているので、スイッチ３８はオフとなっている。また、ガイド用スプリング３７に抗してスイッチ側の第２位置に移動すると、スイッチ３８がオンとなる（図７（Ｂ）参照）。この時、回転部材３５は、上方向から見て時針方向へ回転しているので、回転部材３５は、下方へ移動可能となっている。
【００４２】
図８（Ａ）、図８（Ｂ）及び図９に示すように、ねじ５０は、外円筒部材５１と、外円筒部材５１に内蔵された内円柱部材５２と、頭部５３を有する。
【００４３】
外円筒部材５１は、筒状の外円筒部材本体５１１を有しており、外円筒部材本体の内部には、内部空間５１２を有する。外円筒部材本体５１１の外周面には凹凸面５１３を有し、凹凸面５１３には、筒状の外円筒部材本体５１１の母線に沿って上下方向に係合溝部５１７が設けられている。係合溝部（第２係合部）５１７には、装着手段３０の係合突条（第１被係合部）３１３が嵌合し、上下方向に移動可能であるとともに、外円筒部材５１の回転を阻止するように保持する。また、外円筒部材５１の下端部には、ロック用凹部５１６を有する。ロック用凹部５１６は、装着手段３０のロック部材３３が嵌合して、ねじ５０の脱落を防止する。
【００４４】
外円筒部材５１の底には、中央に開口部５４１を有するリング状の下部蓋部５４が取り付けられている。また、下部蓋部５４の下面（端面）５４３には、１個または複数個の情報ピン５４２が設けられている。情報ピン５４２は、装着手段３０の支持部材３４の情報ピン用孔３４２に露出している情報スイッチ用突起４２１に接触し押動させることで、情報スイッチ４２をオンさせることが可能である（図５参照）。
なお、情報ピン５４２を複数個設けることができるが、ここでは、最大６個とする。
【００４５】
ねじ５０の物品情報は、ある情報ピン５４２が対応する位置の情報スイッチ４２をオンしているかで取得されるのではなく、情報ピン５４２が複数設けられた情報スイッチ４２のうち、どの情報スイッチ５４２をオンさせているかで決定される。
すなわち、情報ピン５４２の数及び配置が物品情報となる。例えば、図６では、６個の情報スイッチ４２のうち、情報スイッチ４２Ａのみがオンとされ、情報スイッチ４２Ｂ、４２Ｃ、４２Ｄ、４２Ｅ、４２Ｆがオフとされている。すなわち、情報スイッチ４２Ａのみがオンということが物品情報であり、この配置に対応して、所定の演出の出力を行う。
【００４６】
一方、外円筒部材本体５１１の上側には、外円筒部材本体５１１の外径よりも大きな外径を有する円筒形状をした頭部受け部５１４を有する。頭部受け部５１４の内面には、周方向に凹凸部５１５が設けられている。
【００４７】
内円柱部材５２は円柱状の内円柱部材本体５２１を有しており、内円柱部材本体５２１の上端部には、例えば正方形等の多角形断面を有する頭部取付部５２２が設けられている。また、内円柱部材本体５２１の下側には、内円柱部材本体５２１の外径よりも大きな外径を有する内円柱部材底部５５が設けられている。内円柱部材底部５５の先端面５５１には、係合凹部（第１係合部）５５２が設けられている（図８（Ｂ）参照）。
内円柱部材底部５５は、下部蓋部５４の開口部５４１に露出しており、下部蓋部５４に対して上下移動可能となっている。係合凹部（第１係合部）５５２には、装着手段３０の回転部材３５の軸部材３５２が嵌合する。
【００４８】
外円筒部材５１の頭部受け部５１４には、ばね部材５６が内包されている。ばね部材５６は、中央に内円柱部材５２の頭部取付部５２２が内嵌される矩形の取付孔５６１を有しており、内円柱部材５２と一体で回転する。ばね部材５６は、取付孔５６１から一対の部分円弧状のアーム５６２が設けられている。各アーム５６２は、それぞれ外側に広がるように付勢されており、各アーム５６２の先端部は、頭部受け部５１４の内面の凹凸部５１５に押し付けられている。
【００４９】
内円柱部材５２の頭部取付部５２２におけるばね部材５６の上側には、ばね部材５６を覆うように頭部５３が取り付けられる。頭部５３の内面には、頭部取付部５２２が嵌合する内円柱部材取付部（図示省略）が設けられている。
従って、頭部５３を回転させると、内円柱部材５２及びばね部材５６が、外円筒部材５１に対して回転する。この時、ばね部材５６が頭部受け部５１４の内面の凹凸部５１５に接触しているので、カチカチといった音を発しながら回転する。
【００５０】
次に、ねじ５０を装着手段３０に装着する動作について説明する。
まず、ねじ５０を装着手段３０の保持孔３１１に挿入する。この時、ねじ５０の外円筒部材５１に設けられている係合溝部（第２係合部）５１７に、保持孔３１１の係合突条（第２被係合部）３１３が嵌合するようにして挿入する。これにより、ねじ５０は外円筒部材５１が回転しない状態で、装着手段３０の保持孔３１１に上下移動可能な状態で装着される。
【００５１】
この状態では、装着手段３０の軸部材３５２は、ねじ５０の係合凹部（第１係合部）５５２に対して回転方向にずれているので（不図示の状態）、ねじ５０の先端面５５１と当接し、ねじ５０はそれ以上下降しない。そして、ねじ５０の頭部５３を下方へ押さえながら時針方向に回転（例えば、１０度程度）させると、外円筒部材５１は回転しないが内円柱部材５２が頭部５３と一体で回転するので、軸部材３５２が係合凹部（第１係合部）５５２に嵌合する。これにより、ねじ５０の頭部５３及び内円柱部材５２が下降して、回転部材３５がねじ５０と一体で回転するようになる。同時に、ガイド軸３５６が下降してスイッチ用ガイド部材３５７に係合するので、頭部５３の回転に応じてスイッチ用ガイド部材３５７が移動可能となる。
【００５２】
このときねじ５０の外円筒部材５１も下降するので、外円筒部材５１は装着手段３０のロック部材３３の傾斜面３３２を滑りながら、ロック部材３３を一旦外側へ押し込み、さらに下降することにより傾斜面３３２がねじ５０の外円筒部材５１のロック用凹部５１６に嵌合する。これにより、ねじ５０が保持孔３１１から脱落するのを防止する。
【００５３】
そして、頭部５３を時針方向へ回転させると、内円柱部材５２が一体で回転し、さらに回転部材３５が回転して、スイッチ用ガイド部材３５７をガイド用スプリング３７の付勢力に抗して第１位置から第２位置へ移動させる。この時、回転部材３５のガイド突起３５４が、下本体部３６のテーパ面３６３に沿って下降しながら移動するので、回転部材３５は回転とともに下降する。このため、軸部材３５２の底面３１４からの突出寸法は、第１位置においてよりも第２位置においての方が小さくなる。
【００５４】
そして、スイッチ用ガイド部材３５７が第２位置に達すると、ねじ５０の情報ピン５４２が取得手段４０の情報スイッチ用突起４２１に当接してオンとする。これにより、ねじ５０の情報が取得される。また、スイッチ用ガイド部材３５７がスイッチ３８をオンとするので、ねじ５０が装着されたことが検知される。
一方、ねじ５０を取り外す際には、頭部５３を反時針方向へ回転させ、スイッチ用ガイド部材３５７を第１位置へ移動させる。これにより、回転部材３５のガイド突起３５４が、下本体部３６のテーパ面３６３に沿って上昇しながら移動するので、外円筒部材５１を押し上げる。これにより、外円筒部材５１がロック部材３３の傾斜面３３２を上方へ滑りながらロック部材３３を一旦外側へ押し込むので、ロックを解除され、ねじ５０を引き抜くことができる。
【００５５】
図１０に示すように、演出出力玩具１０は制御部７０が設けられており、メインスイッチ１１をオンすることにより起動する。制御部７０には、取得手段４０が接続されている。従って、取得手段４０の各情報スイッチ４２のオン、オフや、ねじ５０が装着されていることを検知するスイッチ３８のオン、オフを検知することができる。また、制御部７０には、取得手段４０が取得した物品情報を装着済情報として登録する登録手段７１が接続されており、これまで出力されてきた演出の履歴が記憶されている。また、制御部７０には、メモリ７２が接続されており、オンとなった情報スイッチ４２の配置に対応する演出内容が記憶されている。
【００５６】
さらに、制御部７０には、演出出力手段７３が接続されており、光を発することによって演出するＬＣＤ７４やＬＥＤ７５、音を発することで演出するスピーカ７６、振動を発生することにより演出するバイブレータ７７等が接続されている。従って、演出出力手段７３は、装着されたねじ５０の第１の物品情報に対応して、第１の装着演出を出力する。また、第２のねじ６０が装着された場合には、第２の物品情報に対応して、第２の装着演出を出力する。
【００５７】
次に、演出出力動作の第１の例について説明する。
図１１に示すように、スタートすると（ステップＳＳＡ）、まずメインスイッチ１１をオンにする（ステップＳＡ１）。次いで、ねじ５０が装着されているか否かを判断し（ステップＳＡ２）、装着されていない場合には、ねじ５０の装着を促す「ねじが装着されていません。」等の非装着演出を出力して（ステップＳＡ３）、ねじ５０の装着を待つ。購入後初めて使用する際に、メインスイッチ１１をオンとした場合もこの場合に含まれる。ねじ５０が装着されている場合には、ねじ５０が装着手段３０に装着されたときに装着されたことを報知する音声を出力するようにしてもよい。そして、取得手段４０によって情報の取得を行う（ステップＳＡ４）。
【００５８】
情報を取得してから所定時間が経過したかを判断し（ステップＳＡ５）、所定時間が経過した場合には演出を出力する（ステップＳＡ６）。そして、所定時間が経過したかを判断し（ステップＳＡ７）、経過したら停止して（ステップＳＡ８）、終了する（ステップＳＥＡ）。
【００５９】
一方、ステップＳＡ５において所定時間が経過していないと判断された場合には、ねじ５０を外したか判断し（ステップＳＡ９）、外していない場合には、ステップＳＡ５に移行して、以後のステップを実施する。また、ねじ５０を外した場合には、ねじ５０が装着手段３０から取り外されたことを報知する音声を出力するようにしてもよい。そして、第２のねじ６０等の別のねじを検出したかを判断し（ステップＳＡ１０）、検出しない場合にはステップＳＡ７に移行してその後のステップを進み、終了する（ステップＳＥＡ）。
【００６０】
第２のねじを検出した場合には、第２のねじの第２の物品情報を取得する（ステップＳＡ１１）。このねじが最初のねじ５０とは異なるねじか否かを判断して（ステップＳＡ１２）、異なる場合には新たな演出を出力する（ステップＳＡ１３）。このとき、取得手段４０が所定時間内に連続して第１の物品情報及び第２の物品情報を順次取得したときには、第１の物品情報及び第２の物品情報の組み合わせに応じて、第１の装着演出及び第２の装着演出とは異なる第３の装着演出を演出出力手段７３が出力するようにしてもよい。さらに、取得手段４０が第２の物品情報を先に取得し、後から第１の物品情報の取得したときには、第１の装着演出、第２の装着演出及び第３の装着演出とは異なる第４の装着演出を出力するようにしてもよい。
【００６１】
新たな演出を出力した後、ステップＳＡ７に移行してその後のステップを進み、終了する（ステップＳＥＡ）。
一方、ステップＳＡ１２において最初のねじと同じと判断された場合には、ステップＳＡ５に移行して、その後のステップを実施する。
【００６２】
次に、演出出力動作の第２の例について説明する。
図１２に示すように、スタートすると（ステップＳＳＢ）、まずメインスイッチ１１をオンにする（ステップＳＢ１）。次いで、ねじ５０が装着されているか否かを判断する（ステップＳＢ２）。ねじ５０が装着されている場合には、ねじ５０が装着手段３０に装着されたときに装着されたことを報知する音声を出力するようにしてもよい。そして、取得手段４０によって情報の取得を行い（ステップＳＢ３）、演出を出力する（ステップＳＢ４）。その後、所定時間が経過したかを判断し（ステップＳＢ５）、経過したら停止して（ステップＳＢ６）、終了する（ステップＳＥＢ）。
【００６３】
一方、ステップＳＢ２においてねじ５０が装着されていないと判断された場合には、登録手段７１に記録された過去データ（過去に装着されたねじであることを示す装着済情報のデータ）があるか否かを判断する（ステップＳＢ７）。買ってからしばらく遊んだ後にメインスイッチ１１を再投入した場合のように過去データがある場合には、過去データとなる装着済情報に対応するねじの装着演出を非装着演出として出力する、または、過去データとなる装着済情報に対応するねじの装着を促す演出を出力する（ステップＳＢ８）。過去データとして、複数の物品に対応する装着済情報がある場合、すなわち、過去データとなる装着済情報が複数ある場合は、複数の装着済情報をランダムに、あるいは所定のルールに従って選択して演出を出力する。その後、ステップＳＢ５に移行してその後のステップを実施する。
【００６４】
過去データがないと判断された場合には、非装着演出として、ねじの装着を促す演出をスピーカ７６により出力する（ステップＳＢ９）。そして、所定時間が経過したかを判断し（ステップＳＢ１０）、所定時間が経過していないと判断された場合には時間の経過をみる。一方、所定時間が経過したと判断した場合には、ステップＳＢ６に移行して停止し、終了する（ステップＳＥＢ）。
【００６５】
また、ステップＳＢ５において所定時間が経過していないと判断された場合には、ねじ５０を外したか否かを判断し（ステップＳＢ１１）、外したと判断された場合には、ステップＳＢ６に移行して停止し、終了する（ステップＳＥＢ）。一方、ねじ５０を外したと判断されなかった場合には、ステップＳＢ５に移行してその後のステップを進み、終了する（ステップＳＥＢ）。
【００６６】
次に、本実施形態に係る演出出力玩具の作用、効果について説明する。
本実施形態に係る演出出力玩具１０では、ねじ５０は装着手段３０に着脱可能に装着されるので、ねじ５０を容易に交換することができる。このため、取得手段により取得される物品情報を容易に交換することができるので、演出出力手段７３によって出力される演出内容を変えることができ、種々の演出内容について拡張した演出を行うことができる。
また、ねじ５０が装着手段３０に装着されない非装着状態においては、演出出力手段７３がねじ５０の装着を促すような非装着演出を出力するので、その後の演出を円滑に楽しむことができる。
【００６７】
本発明の演出出力玩具１０は、前述した実施形態に限定されるものでなく、適宜な変形、改良等が可能である。
例えば、前述した演出出力玩具１０において、装着手段３０に特定の物品が装着されたときには、工場出荷状態に初期化できるようにすることもできる。すなわち、装着手段３０に特定の物品が装着されたとき、登録手段７１に記録された装着済情報を全て削除するようにすることもできる。
【符号の説明】
【００６８】
１０  演出出力玩具
２０  本体部
２２１  ホルダ部
３０  装着手段
３１１  保持孔
３１３  係合突条（第２被係合部）
３１４  底面
３５２  軸部材（第１被係合部）
３７  ガイド用スプリング（付勢手段）
４０  取得手段
５０  ねじ（物品、第１の物品）
５１  外円筒部材
５１３  凹凸面（外周面）
５１７  係合溝部（第２係合部）
５２  内円柱部材
５３  頭部
５４２  情報ピン
５４３  下面（端面）
５５１  先端面
５５２  係合凹部（第１係合部）
６０  第２のねじ（第２の物品）
７１  登録手段
７３  演出出力手段
【図１】
2017217282.tif 000003
【図２】
2017217282.tif 000004
【図３】
2017217282.tif 000005
【図４】
2017217282.tif 000006
【図５】
2017217282.tif 000007
【図６】
2017217282.tif 000008
【図７】
2017217282.tif 000009
【図８】
2017217282.tif 000010
【図９】
2017217282.tif 000011
【図１０】
2017217282.tif 000012
【図１１】
2017217282.tif 000013
【図１２】
2017217282.tif 000014
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
演出が出力される演出出力玩具であって、
本体部と、
前記本体部に形成され、物品が着脱可能に装着される装着手段と、
前記装着手段に装着された前記物品の物品情報を取得する取得手段と、
前記物品情報に応じた演出を出力する演出出力手段と、
前記取得手段が取得した前記物品情報を装着済情報として登録する登録手段とを有し、
前記物品が前記装着手段に装着された装着状態において、前記演出出力手段が装着演出を出力し、
前記物品が前記装着手段に装着されない非装着状態において、前記演出出力手段が非装着演出を出力し、
前記登録手段に前記装着済情報が登録されているとき、かつ、前記非装着状態であるとき、前記装着済情報に応じた演出を前記非装着演出として前記演出出力手段が出力する演出出力玩具。
【請求項２】
請求項１記載の演出出力玩具であって、
前記演出出力手段が前記装着演出の出力を完了する前に、前記物品が前記装着手段から取り外されたときに、前記演出出力手段が前記装着演出を停止する演出出力玩具。
【請求項３】
請求項１または請求項２に記載の演出出力玩具であって、
前記装着手段は、第１の物品情報を備える第１の物品と、前記第１の物品情報とは異なる第２の物品情報を備える第２の物品とが選択的に装着可能である演出出力玩具。
【請求項４】
請求項３記載の演出出力玩具であって、
前記演出出力手段は、前記装着演出として前記第１の物品情報及び前記第２の物品情報に対応した第１の装着演出及び第２の装着演出を出力する演出出力玩具。
【請求項５】
請求項３記載の演出出力玩具であって、
前記演出出力手段は、前記取得手段が所定時間内に連続して前記第１の物品情報及び前記第２の物品情報を順次取得したときに、前記第１の物品情報及び前記第２の物品情報の組み合わせに応じて、前記第１の装着演出及び前記第２の装着演出とは異なる演出を前記演出出力手段が出力する演出出力玩具。
【請求項６】
請求項５記載の演出出力玩具であって、
前記演出出力手段は、前記取得手段が前記第１の物品情報を取得した後に前記第２の物品情報の取得したときに前記第１の装着演出及び前記第２の装着演出とは異なる第３の装着演出を出力し、前記取得手段が前記第２の物品情報を取得した後に前記第１の物品情報の取得したときに前記第１の装着演出、前記第２の装着演出及び前記第３の装着演出とは異なる第４の装着演出を出力する演出出力玩具。
【請求項７】
請求項６記載の演出出力玩具であって、
前記非装着演出は、前記装着済情報に応じた物品を前記装着手段に装着することを促す演出である演出出力玩具。
【請求項８】
請求項１ないし請求項７のうちのいずれか１項に記載の演出出力玩具であって、
前記演出出力手段は、前記演出として音声を出力する演出出力玩具。
【請求項９】
請求項８記載の演出出力玩具であって、
前記演出出力手段は、
前記物品が前記装着手段に装着されたときに、装着されたことを報知する音声を出力し、
前記物品が前記装着手段から取り外されたときに、取り外されたことを報知する音声を出力する演出出力玩具。
【請求項１０】
請求項１記載の演出出力玩具であって、
前記装着手段は、
前記物品が軸回転不可能に挿入可能、かつ、前記物品の挿入状態を保持可能な保持孔と、
前記保持孔の底面に設けられ、前記物品の先端面に設けられた第１係合部と係合する第１被係合部とを備える演出出力玩具。
【請求項１１】
請求項１０記載の演出出力玩具であって、
前記物品は、
外円筒部材と、
前記外円筒部材に内蔵された内円柱部材と、
前記内円柱部材に連結され、前記外円筒部材に対して前記内円柱部材とともに軸回転可能な頭部と、
前記内円柱部材における前記頭部とは反対側から露出する先端面に設けられた前記第１係合部と、
前記外円筒部材の外周面に設けられた第２係合部と、を有し、
前記装着手段は、
前記保持孔が前記物品の前記外円筒部材を収容可能な略円筒内面形状であるとともに内周面に形成されて前記第２係合部と係合する第２被係合部と、
前記保持孔の前記底面の中心に配置され、前記物品の前記第１係合部と係合可能であるとともに、回動可能な前記第１被係合部と、
前記第１被係合部を付勢する付勢手段と、を有し、
前記第２係合部及び前記第２被係合部が互いに係合した状態で前記物品が前記保持孔に挿入され、前記第１係合部に対して前記第１被係合部が係合した状態で前記外円筒部材に対して前記内円柱部材及び前記頭部が一方向に回動することにより、前記第１被係合部が回動するとともに、前記保持孔から前記物品が取り外し不可能となる演出出力玩具。
【請求項１２】
請求項１１記載の演出出力玩具であって、
前記第１被係合部は、第１の位置と第２の位置の間で回動可能で、前記付勢手段により前記第２の位置から前記第１の位置に付勢され、
前記第１被係合部は突出部を有し、前記第１位置における前記底面に対する突出寸法よりも前記第２位置における前記底面に対する突出寸法が小さい演出出力玩具。
【請求項１３】
請求項１２記載の演出出力玩具であって、
前記第１被係合部が前記第２位置にあるときに前記取得手段が前記物品情報を取得する演出出力玩具。
【請求項１４】
請求項１２または請求項１３に記載の演出出力玩具であって、
前記第１被係合部及び前記第１係合部が係合した状態で前記第２位置にあるとき、前記物品の前記先端面が前記底面に対して他方向に回動することにより、前記保持孔から前記物品が取り外し可能となる演出出力玩具。
【請求項１５】
請求項１１ないし請求項１４のうちのいずれか１項に記載の演出出力玩具であって、
前記物品は、前記物品情報に応じた情報ピンが前記外円筒部材の端面に形成されている演出出力玩具。
【請求項１６】
請求項１ないし請求項１５のうちのいずれか１項に記載の演出出力玩具であって、
前記装着手段とは別の箇所に設けられたホルダ部を有し、
前記ホルダ部は、前記物品が挿入可能、かつ、前記物品の挿入状態を保持可能であるとともに、前記物品の前記物品情報を取得不可能である演出出力玩具。
【請求項１７】
請求項１ないし請求項１６のうちのいずれか１項に記載の演出出力玩具であって、
前記装着手段に前記物品が装着された状態で、前記物品が全体外観の一部を構成する演出出力玩具。
【請求項１８】
請求項１ないし請求項１７のうちのいずれか１項記載の演出出力玩具であって、
前記装着手段に特定の物品が装着されたときに初期化される演出出力玩具。